(57)【要約】      （修正有）【課題】有価媒体の特性に応じて投入部への有価媒体の投入方法が異なる有価媒体処理装置において、使い勝手を向上させた有価媒体処理装置及び有価媒体処理システムを提供する。【解決手段】有価媒体処理装置の制御部は、投入部に投入された有価媒体を取り込むと共に、有価媒体に関する処理を実行する。制御部は、操作部及び表示部（タッチパネル）を通じて、操作者に、投入しようとする有価媒体の特性を、複数の選択肢の中から指定する操作を行わせると共に、操作者が指定した特性を有する有価媒体の投入方法の情報を、表示部に表示させる。【選択図】図７
2018128944.tif 000002
【特許請求の範囲】
【請求項１】
有価媒体が投入される投入部と、
操作者が操作を行う操作部と、
前記操作者へ情報を表示する表示部と、
前記投入部、前記操作部及び前記表示部を制御することによって、前記投入部に投入された前記有価媒体を取り込むと共に、前記有価媒体に関する処理を実行する制御部と、を備え、
前記有価媒体の特性に応じて、前記有価媒体の前記投入部への投入方法が異なり、
前記制御部は、投入しようとする前記有価媒体の特性を複数の選択肢の中から指定する操作を、前記操作部及び前記表示部を通じて、前記操作者に行わせると共に、前記操作者が指定した特性を有する有価媒体の投入方法の情報を、前記表示部に表示させる有価媒体処理装置。
【請求項２】
前記操作部と前記表示部とは一体となってタッチパネル式の操作表示部を構成し、
前記制御部は、前記操作表示部に、前記有価媒体の複数の特性それぞれに対応する、複数の操作ボタンを表示すると共に、各操作ボタンを、各特性を有する前記有価媒体の見た目を表す画像によって構成し、
前記制御部は、前記操作表示部に表示される複数の操作ボタンの内のいずれか一つを、前記操作者にタッチさせる請求項１に記載の有価媒体処理装置。
【請求項３】
前記有価媒体の特性と、当該特性を有する前記有価媒体の投入方法の情報とを対応付けて記憶する記憶部を備え、
前記制御部は、前記操作者が、投入しようとする前記有価媒体の特性を指定する操作を行った後、前記記憶部の情報に基づいて、前記操作者が指定した特性を有する有価媒体の投入方法の情報を、前記表示部に表示させる請求項１又は２に記載の有価媒体処理装置。
【請求項４】
前記制御部は、前記有価媒体を取り込むときに、前記投入部に投入された前記有価媒体の投入方法を確認すると共に、当該投入方法が、前記操作者が指定した前記有価媒体の特性に対応しないときには、前記操作者に警告を行う請求項３に記載の有価媒体処理装置。
【請求項５】
前記有価媒体の特性に応じて、当該有価媒体を搬送補助シートに挟んで前記投入部に投入することと、前記有価媒体を前記搬送補助シートに挟まずに前記投入部に投入することと、が変更される請求項１〜４のいずれか１項に記載の有価媒体処理装置。
【請求項６】
前記制御部は、前記操作部及び前記表示部を通じて、前記操作者に、投入しようとする前記有価媒体の特性及び種類を指定する操作を行わせ、
前記投入部から取り込んだ前記有価媒体の画像を取得する画像取得部を備え、
前記制御部は、前記画像取得部が取得した画像に基づいて、前記有価媒体の種類を特定すると共に、前記操作者が指定した前記有価媒体の種類との照合を行う請求項１〜５のいずれか１項に記載の有価媒体処理装置。
【請求項７】
有価媒体が投入される投入部と、前記投入部に投入された前記有価媒体を取り込むと共に、前記有価媒体に関する処理を実行する制御部と、を有する有価媒体処理装置と、
前記有価媒体処理装置に接続されかつ、操作者が操作を行う操作部と、前記操作者へ情報を表示する表示部と、を有する操作端末と、を備え、
前記有価媒体の特性に応じて、前記有価媒体の前記投入部への投入方法が異なり、
前記制御部は、前記操作部及び前記表示部を通じて、前記操作者に、投入しようとする前記有価媒体の特性を、複数の選択肢の中から指定する操作を行わせると共に、前記操作者が指定した特性の有価媒体の投入方法の情報を、前記表示部に表示させる有価媒体処理システム。
【発明の詳細な説明】
【技術分野】
【０００１】
ここに開示する技術は、有価媒体処理装置及び有価媒体処理システムに関する。
【背景技術】
【０００２】
特許文献１には、有価媒体処理装置が記載されている。この有価媒体処理装置は、紙幣処理装置が受け付けない紙幣や、小切手等の有価媒体を処理する。紙幣処理装置が受け付けない紙幣には、紙幣処理装置がリジェクト紙幣と判定した「リジェクト券」、損傷度合いや汚損が激しい「損券」、及び、現在発行されている紙幣よりも発行された年代が古い「旧券」が含まれる。
【０００３】
有価媒体処理装置は、取り込んだ有価媒体の画像を取得しかつ、収納庫に収納すると共に、操作者が手入力をした有価媒体の券種（つまり、紙幣であれば金種や発行時期）及び価値（つまり、一部が破れて欠損している損券において、欠損の程度によって定まる価値）と、有価媒体の画像とを対応付けて記憶するよう構成されている。
【先行技術文献】
【特許文献】
【０００４】
【特許文献１】特開２０１４−７１５２５号公報
【発明の概要】
【発明が解決しようとする課題】
【０００５】
ところで、有価媒体処理装置は、有価媒体の特性に応じて、投入部に投入する方法が異なる。例えば、「損傷の度合いが大きい損券」という特性を有する有価媒体は、有価媒体処理装置に取り込んだときに正常に搬送することができないため、キャリアシートと呼ばれる搬送補助シートに挟んで、投入部に投入される。また、「旧券」という特性を有する有価媒体は、現在発行されている紙幣とはサイズが異なるため、搬送補助シートに挟んで、投入部に投入される場合がある。従来の有価媒体処理装置では、これから投入しようとする有価媒体に搬送補助シートが必要か否かを、操作者自らが判断しなければならなかった。つまり、従来の有価媒体処理装置は、有価媒体の投入方法を、操作者が操作部を通じて選択した上で、操作者は、有価媒体を、搬送補助シートに挟んで、又は、搬送補助シートに挟まずに有価媒体処理装置の投入部に投入していた。
【０００６】
しかしながら、有価媒体の投入方法を選択することは、特に経験の浅い操作者にとっては難しい場合があり、有価媒体処理装置の使い勝手を悪くしていた。
【０００７】
尚、有価媒体の投入方法は、搬送補助シートの要否を決めることに限らず、例えば有価媒体の投入方向を所定の方向にすること等も考えられる。
【０００８】
ここに開示する技術はかかる点に鑑みてなされたものであり、その目的とするところは、有価媒体の特性に応じて投入部への有価媒体の投入方法が異なる有価媒体処理装置において、使い勝手を向上することにある。
【課題を解決するための手段】
【０００９】
具体的に、ここに開示する有価媒体処理装置は、有価媒体が投入される投入部と、操作者が操作を行う操作部と、前記操作者へ情報を表示する表示部と、前記投入部、前記操作部及び前記表示部を制御することによって、前記投入部に投入された前記有価媒体を取り込むと共に、前記有価媒体に関する処理を実行する制御部と、を備える。
【００１０】
ここで、前記有価媒体の特性に応じて、前記有価媒体の前記投入部への投入方法が異なり、前記制御部は、投入しようとする前記有価媒体の特性を複数の選択肢の中から指定する操作を、前記操作部及び前記表示部を通じて、前記操作者に行わせると共に、前記操作者が指定した特性を有する有価媒体の投入方法の情報を、前記表示部に表示させる。
【００１１】
この構成によると、操作者は、有価媒体処理装置の投入部に有価媒体を投入する前に、有価媒体の特性を、複数の選択肢の中から指定する。
【００１２】
ここで、「有価媒体の特性」は、他の有価媒体処理装置（例えば紙幣処理装置等）においてリジェクトされたという特性（つまり、リジェクト媒体）、損傷度合いや汚損が激しいという特性（いわゆる損券、又は、損貨）、現在発行されている紙幣や硬貨よりも発行された年代が古いという特性（いわゆる旧券、又は、旧貨）を含む。また、小切手や手形等も、「有価媒体の特性」の一つに含まれる。
【００１３】
従来の有価媒体処理装置では、前述したように、操作者は有価媒体の投入方法を選択していたが、本構成の有価媒体処理装置では、操作者は有価媒体の特性を選択すればよいため、経験の浅い操作者であっても、選択が容易である。また、有価媒体の特性は、複数の選択肢として操作者に示されることにより、操作者はさらに、有価媒体の特性を指定しやすくなる。
【００１４】
そして、操作者が、投入しようとする有価媒体の特性を指定する操作を行うと、制御部は、当該特性を有する有価媒体の投入方法の情報を、表示部に表示させる。操作者は、表示された情報に従い、所定の投入方法によって有価媒体を投入部に投入することができる。操作者は、迷うことなく適切な方法によって、有価媒体を投入部に投入することができるから、有価媒体処理装置に使い勝手が向上する。
【００１５】
前記操作部と前記表示部とは一体となってタッチパネル式の操作表示部を構成し、前記制御部は、前記操作表示部に、前記有価媒体の複数の特性それぞれに対応する、複数の操作ボタンを表示すると共に、各操作ボタンを、各特性を有する前記有価媒体の見た目を表す画像によって構成し、前記制御部は、前記操作表示部に表示される複数の操作ボタンの内のいずれか一つを、前記操作者にタッチさせる、としてもよい。
【００１６】
タッチパネル式の操作表示部に表示される操作ボタンが、有価媒体の特性に対応する見た目を表した画像によって構成されるため、操作者は、これから投入しようとする有価媒体（つまり、手元にある有価媒体）と、操作表示部に表示された画像とを見比べて、対応する操作ボタンを容易に選択することができる。また、画像が操作ボタンを構成するため、操作者は、操作ボタンを押し間違える（つまり、選択し間違える）ことも防止される。有価媒体処理装置の使い勝手がさらに向上する。
【００１７】
前記有価媒体処理装置は、前記有価媒体の特性と、当該特性を有する前記有価媒体の投入方法の情報とを対応付けて記憶する記憶部を備え、前記制御部は、前記操作者が、投入しようとする前記有価媒体の特性を指定する操作を行った後、前記記憶部の情報に基づいて、前記操作者が指定した特性を有する有価媒体の投入方法の情報を、前記表示部に表示させる、としてもよい。
【００１８】
こうすることで、制御部は、記憶部の記憶内容に基づいて、操作者に対して適切な情報を提供することができ、操作者は、有価媒体を、適切な投入方法によって投入部に投入することができる。
【００１９】
前記制御部は、前記有価媒体を取り込むときに、前記投入部に投入された前記有価媒体の投入方法を確認すると共に、当該投入方法が、前記操作者が指定した前記有価媒体の特性に対応しないときには、前記操作者に警告を行う、としてもよい。
【００２０】
投入方法が誤っているときに操作者に警告を行うことによって、例えば、取り込んだ有価媒体が搬送途中で詰まってしまう、といった不具合を未然に回避することができる。有価媒体処理装置の運用がスムースになり、有価媒体処理装置の使い勝手が向上する。
【００２１】
前記有価媒体の特性に応じて、当該有価媒体を搬送補助シートに挟んで前記投入部に投入することと、前記有価媒体を前記搬送補助シートに挟まずに前記投入部に投入することと、が変更される、としてもよい。
【００２２】
つまり、搬送補助シートの要否は、有価媒体の特性に応じて変更される投入方法の一例である。
【００２３】
前記制御部は、前記操作部及び前記表示部を通じて、前記操作者に、投入しようとする前記有価媒体の特性及び種類を指定する操作を行わせ、前記有価媒体処理装置は、前記投入部から取り込んだ前記有価媒体の画像を取得する画像取得部を備え、前記制御部は、前記画像取得部が取得した画像に基づいて、前記有価媒体の種類を特定すると共に、前記操作者が指定した前記有価媒体の種類との照合を行う、としてもよい。
【００２４】
ここで「有価媒体の種類」とは、例えば紙幣であれば、その金種や発行時期等を意味する。有価媒体の種類は、前述した「有価媒体の特性」と意味が重なる場合（例えば有価媒体の特性としての「旧券」と、有価媒体の種類としての発行時期）、及び、意味が重ならない場合（例えば金種は、有価媒体の種類であるが、有価媒体の特性ではない）がある。
【００２５】
操作者が特性及び種類を指定した有価媒体を取り込んだ後、制御部は、画像取得部が取得した、当該有価媒体の画像に基づいて、有価媒体の種類を特定する。制御部はまた、操作者が指定した前記有価媒体の種類との照合を行う。有価媒体処理装置では、取り込んだ有価媒体の種類に関する情報を、操作者が手入力をし、その情報を有価媒体の画像と共に記憶する場合がある。照合の結果、操作者が指定した有価媒体の種類の情報が、当該有価媒体の種類に一致する場合は、操作者が改めて情報を手入力することなく、投入時に指定した情報を記憶すればよい。操作者の手間が省けるため、有価媒体処理装置の使い勝手が向上する。一方、照合の結果、操作者が指定した有価媒体の種類の情報が、当該有価媒体の種類に一致しない場合は、操作者に、改めて有価媒体の種類の情報を手入力してもらえばよい。このように、情報の修正を可能にすれば、有価媒体の種類について正確な情報を記憶することができるから、有価媒体処理装置の使い勝手が向上する。
【００２６】
ここに開示する有価媒体処理システムは、有価媒体が投入される投入部と、前記投入部に投入された前記有価媒体を取り込むと共に、前記有価媒体に関する処理を実行する制御部と、を有する有価媒体処理装置と、前記有価媒体処理装置に接続されかつ、操作者が操作を行う操作部と、前記操作者へ情報を表示する表示部と、を有する操作端末と、を備える。そして、前記有価媒体の特性に応じて、前記有価媒体の前記投入部への投入方法が異なり、前記制御部は、前記操作部及び前記表示部を通じて、前記操作者に、投入しようとする前記有価媒体の特性を、複数の選択肢の中から指定する操作を行わせると共に、前記操作者が指定した特性の有価媒体の投入方法の情報を、前記表示部に表示させる。
【００２７】
この構成によると、操作者は操作端末の操作部及び表示部を通じて、有価媒体の特性を指定する。有価媒体の特性を指定すれば、当該有価媒体の投入方法の情報が表示部に表示されるから、操作者は、適切な投入方法によって、有価媒体を、有価媒体処理装置の投入部に投入することができる。
【発明の効果】
【００２８】
以上説明したように、前記の有価媒体処理装置及び有価媒体処理システムによると、装置及びシステムに使い勝手が向上する。
【図面の簡単な説明】
【００２９】
【図１】図１は、有価媒体処理システムの構成例を示す図である。
【図２】図２は、出納機の構成例を示すブロック図である。
【図３】図３は、有価媒体処理装置の内部構成例を示す図である。
【図４】図４は、出納機における処理に係る制御手順を例示するフローチャートである。
【図５】図５は、管理端末装置のタッチパネルに表示される、メニュー画面を例示する図である。
【図６】図６は、管理端末装置のタッチパネルに表示される、入金処理時の媒体カテゴリの選択画面を例示する図である。
【図７】図７は、管理端末装置のタッチパネルに表示される、紙幣の特性を選択する画面を例示する図である。
【図８】図８は、管理端末装置のタッチパネルに表示される、有価媒体の投入方法を案内する画面を例示する図である。
【図９】図９は、管理端末装置のタッチパネルに表示される、有価媒体の投入方法を案内する別の画面を例示する図である。
【図１０】図１０は、管理端末装置のタッチパネルに表示される、有価媒体の券種を入力する画面を例示する図である。
【図１１】図１１は、管理端末装置のタッチパネルに表示される、硬貨の特性を選択する画面を例示する図である。
【図１２】図１２は、管理端末装置のタッチパネルに表示される、証票の特性を選択する画面を例示する図である。
【発明を実施するための形態】
【００３０】
以下、有価媒体処理装置及び有価媒体処理システムの実施形態を図面に基づいて詳細に説明する。以下の説明は、有価媒体処理装置及び有価媒体処理システムの一例である。図１は、有価媒体処理装置３００を含む有価媒体処理システム１の構成例を示している。有価媒体処理システム１は、例えば銀行等の金融機関の出納機１０を含んで構成されている。尚、有価媒体処理システム１は、出納機１０を含むシステムに限定されない。また、有価媒体処理装置３００も、出納機１０に含まれる装置に限定されない。
【００３１】
（有価媒体処理システムの構成例）
有価媒体処理システム１は、前述したように出納機１０と、出納機１０に対してネットワーク７０４を介して接続された上位端末である管理コンピュータ７００とを備えている。管理コンピュータ７００には、図１に例示するように、タブレット端末７０１や、スマートフォン７０２のような携帯端末が通信可能に接続される。
【００３２】
図２は、出納機１０の機能構成を例示するブロック図である。出納機１０は、紙幣の処理を行う紙幣処理装置１００、硬貨の処理を行う硬貨処理装置２００、紙幣処理装置１００が処理を行わない紙幣及び小切手等の有価媒体の処理を行う有価媒体処理装置３００、硬貨処理装置２００が処理を行わない硬貨や記念貨の処理を行う損貨処理装置６００、種々の伝票を発行するプリンタ４００、及び、操作者に対するヒューマンインターフェース部分であると共に、紙幣処理装置１００、硬貨処理装置２００、有価媒体処理装置３００、損貨処理装置６００の制御を行う管理端末装置５００と、を含んで構成されている。損貨処理装置６００もまた、有価媒体処理装置の一例である。
【００３３】
紙幣処理装置１００は、バラ紙幣の入出金処理を実行可能に構成されている。また、紙幣処理装置１００は、帯封紙幣の作成や、帯封紙幣の出金処理を実行可能に構成されている。
【００３４】
硬貨処理装置２００は、バラ硬貨の入出金処理を実行可能に構成されている。また、硬貨処理装置２００は、包装硬貨の作成や、包装硬貨の出金処理を実行可能に構成されている。
【００３５】
有価媒体処理装置３００は、その構成の詳細は後述するが、紙幣処理装置１００が処理を行わない紙幣、具体的には、紙幣処理装置１００がリジェクトしたリジェクト紙幣、損傷度合いや汚損が激しい損券、及び、現在発行されている紙幣よりも発行された年代が古い旧券、並びに、小切手や手形等の有価証券の処理を行うよう構成されている。また、この有価媒体処理装置３００は、中央銀行から各金融機関に配送され、未だ市場流通していない官封券（いわゆる新券）の処理も行うよう構成されている。
【００３６】
損貨処理装置６００は、有価媒体処理装置３００と同様に、硬貨処理装置２００が処理を行わない硬貨、具体的には、硬貨処理装置２００がリジェクトしたリジェクト硬貨、損傷度合いや汚損が激しい損貨、現在発行されている硬貨よりも発行された年代が古い旧貨、及び、各種の記念貨の処理を行うよう構成されている。尚、損貨処理装置６００の構成は公知であるため、その詳細な説明は省略するが、後で詳述する有価媒体処理装置３００と同様に、損貨処理装置６００は、投入部に投入された硬貨を取り込むと共に、取り込んだ硬貨を撮像する撮像部と、硬貨を収納する収納部とを備え、撮像した画像データと硬貨に関する情報とを対応付けて記憶するよう構成されている。
【００３７】
プリンタ４００は、硬貨処理装置２００の上面に配設されており、後述する管理端末装置の端末制御部５０２から出力された制御信号に基づいて、種々の情報が印字された伝票を発行する。
【００３８】
管理端末装置５００は、出納機１０へ情報を入力する操作部でありかつ、出納機１０の情報を出力する表示部でもある。具体的に、管理端末装置５００は、硬貨処理装置２００の上面に設けられたタッチパネル５０１を備えて構成されている。このタッチパネル５０１は、図２に示すように、表示部と操作部とが一体化した構成を有しており、種々の情報が配置された画面を表示すると共に、操作者による手入力に基づいて、出納機１０を操作するように構成されている。
【００３９】
管理端末装置５００は、例えば周知のマイクロコンピュータをベースとした端末制御部５０２を備えている。端末制御部５０２には、第１通信部５０５を介して、紙幣処理装置１００、硬貨処理装置２００、有価媒体処理装置３００、及び、損貨処理装置６００が接続されている。端末制御部５０２は、紙幣処理装置１００、硬貨処理装置２００、有価媒体処理装置３００、及び、損貨処理装置６００に制御信号を出力する。紙幣処理装置１００、硬貨処理装置２００、有価媒体処理装置３００、及び、損貨処理装置６００はそれぞれ、端末制御部５０２からの制御信号に従って動作する。
【００４０】
端末制御部５０２にはまた、前記のタッチパネル５０１、操作者のＩＤカードのＩＤ情報を読み取るよう構成されたカードリーダ５０４、プリンタ４００、第２通信部５０６及び記憶部５０３が、信号の送受信可能に接続されている。
【００４１】
第２通信部５０６は、ネットワーク７０４に接続されている。端末制御部５０２は、第２通信部５０６及びネットワーク７０４を介して、管理コンピュータ７００に接続されている。
【００４２】
記憶部５０３は、出納機１０における紙幣や硬貨の在高等の情報を記憶する在高管理データと、詳細は後述するが、有価媒体処理装置３００や損貨処理装置６００に紙幣や硬貨を投入する方法に関係する有価媒体投入データと、を少なくとも記憶している。
【００４３】
（有価媒体処理装置の構成例）
図３は有価媒体処理装置３００の内部構成図である。図３では、図面左側の面が有価媒体処理装置３００の前面となっており、図面右側の面が有価媒体処理装置３００の背面となっている。
【００４４】
有価媒体処理装置３００には、有価媒体が投入される投入部３１０と、有価媒体を機外に払い出す払出部３６０とが設けられている。投入部３１０及び払出部３６０は、有価媒体処理装置３００の筐体３０１の前面（図３における左側の面）に設けられている（図１も参照）。投入部３１０には繰出機構３１２が設けられており、繰出機構３１２は、操作者によって投入部３１０に投入された有価媒体を機内に繰り出す。繰出機構３１２はまた、投入部３１０に有価媒体が束状態で投入されたときには、有価媒体を一枚ずつ機内に繰り出す。投入部３１０から繰り出された有価媒体は、搬送部３１４によって、一枚ずつ搬送される。
【００４５】
搬送部３１４には、撮像部３１６が設けられている。撮像部３１６は、画像取得部の一例である。撮像部３１６は、機内に取り込んだ有価媒体の両面を撮像することによって画像データを取得する。
【００４６】
搬送部３１４にはまた、一時保留部３２０が接続されている。一時保留部３２０は、撮像部３１６を通過した有価媒体を一時的に保留する。ここでは一時保留部３２０は、有価媒体をテープに挟んで巻き取るテープ巻取方式に構成されている。より具体的に一時保留部３２０は、正逆両方向に回転可能なドラム３２０ａを有しており、このドラム３２０ａによって一対のテープを巻き取ったり送り出したりする。一時保留部３２０に送られた有価媒体は、この一対のテープの間に挟まれた状態で一枚ずつ順次ドラム３２０ａにより巻き取られて収納される。また、ドラム３２０ａを逆転させると、巻き取られた有価媒体が一枚ずつ繰り出されて、搬送部３１４に送り出される。
【００４７】
有価媒体処理装置３００の筐体３０１内には、小切手を収納する小切手収納部３３０と、損券や旧券を収納する損券収納部３４０，３４２とが設けられている。ここでは、小切手収納部３３０は、三つの収納部から構成されている。各小切手収納部３３０は集積方式の収納部であり、搬送部３１４から小切手収納部３３０に送られた小切手は、既に小切手収納部３３０に収納されている小切手の上に積み重ねられるようにして収納される。また、収納された小切手を繰り出す機能を備えている。なお、小切手収納部３３０は、小切手以外の手形等の有価証券を収納してもよい。
【００４８】
損券収納部３４０は集積方式の収納部であり、搬送部３１４から損券収納部３４０に送られた損券や旧券は、既に損券収納部３４０に収納されている損券や旧券の上に積み重ねられるようにして収納される。一方、損券収納部３４２はテープ巻取方式の収納部である。より具体的に損券収納部３４２は、一時保留部３２０と同様に、正逆両方向に回転可能なドラム３４２ａを有している。そして、損券収納部３４２に送られた損券や旧券は、この一対のテープの間に挟まれた状態で一枚ずつ順次ドラム３４２ａにより巻き取られて収納される。また、ドラム３４２ａを逆転させると、巻き取られた損券や旧券が一枚ずつ繰り出されて、搬送部３１４に送り出される。
【００４９】
有価媒体処理装置３００の筐体３０１内には、新券を収納する新券収納部３５０が設けられている。ここでは、新券収納部３５０は、四つの収納部から構成されている。各新券収納部３５０に収納されている新券は、それぞれ繰出機構３５２により、搬送部３１４に一枚ずつ繰り出される。
【００５０】
払出部３６０は搬送部３１４に接続されており、搬送部３１４によって搬送された有価媒体は当該払出部３６０で積み重ねるようにして投出される。払出部３６０には羽根車３６２が設けられており、搬送部３１４から羽根車３６２に送られた有価媒体は、羽根車３６２を形成する一対の羽根の間に挟まれた状態で当該羽根車３６２が図３における反時計回りの方向に回転することにより、払出部３６０に送られる。また、払出部３６０にはシャッタ３６１ａが設けられており（図１参照）、操作者は、このシャッタ３６１ａが開放状態となったときに、払出部３６０に集積された有価媒体を取り出すことができる。
【００５１】
（有価媒体の入金処理）
次に、図４に示すフローチャートと、図５〜１０に示す画面構成例とを参照しながら、出納機１０が行う処理、特に有価媒体処理装置３００が行う有価媒体の入金処理について説明をする。先ず、スタート後のステップＳ１では、操作者が認証操作を行ったか否かを判定する。認証操作は、操作者が、タッチパネル５０１においてＩＤを手入力することであってもよいし、カードリーダ５０４にＩＤカードを読み取らせることであってもよい。ＩＤ入力が行われていないときには、ステップＳ１を繰り返し、ＩＤ入力が行われれば、ステップＳ２に進む。
【００５２】
ステップＳ２で、操作者は、処理モードの選択を行う。具体的には、図５に示すように、タッチパネル５０１に、処理モードを選択するためのメニュー画面Ｄ１が表示される。操作者は何れかのボタンをタッチすることにより、処理モードの選択を行う。
【００５３】
ステップＳ２に続くステップＳ３では、メニュー画面Ｄ１において「入金」が選択されたか否かを判定する。「入金」が選択されたときにはステップＳ４に進む。「入金」以外の処理モードが選択されたときにはステップＳ１６に進み、出納機１０は、選択された処理モードに対応する処理を行う。
【００５４】
ステップＳ４で、操作者は、入金する媒体を選択する。具体的には、図６に示す媒体のカテゴリを選択する画面Ｄ２が、タッチパネル５０１に表示される。この画面Ｄ２には、その左端に、「現金」「損／旧貨幣・記念貨」「当店券」「他店券」「その他」のボタンが設けられている。この内、操作者が「現金」を選択したときには、紙幣処理装置１００又は硬貨処理装置２００において入金処理を行う。また、操作者が「損／旧貨幣・記念貨」「当店券」及び「他店券」を選択したときには、有価媒体処理装置３００又は損貨処理装置６００において入金処理を行う。ここでは、「損／旧貨幣・記念貨」のボタンがタッチされたとして、説明を続ける。
【００５５】
画面Ｄ２において「損／旧貨幣・記念貨」を選択すると、タッチパネル５０１には、図７に示す画面Ｄ３が表示される。画面Ｄ３は、操作者が、これから投入する有価媒体の特性を指定するための画面である。具体的に画面Ｄ３の中央には、「損／旧券」「損／旧貨・記念貨」のボタンが設けられている。この画面Ｄ３では先ず、これから投入する有価媒体が、紙幣であるか、硬貨であるかを選択する。ここでは、紙幣を入金するために「損／旧券」のボタンがタッチされたとして、説明を続ける。
【００５６】
画面Ｄ３において「損／旧券」が選択されると、当該画面Ｄ３の右側には、紙幣の特性を指定するための操作ボタンが表示される。具体的に、図７の構成例では、「損券」の分類に、「リジェクト紙幣」ボタンＢ３１、及び、「傷んだ紙幣」ボタンＢ３２がそれぞれ設けられ、「旧紙幣」の分類に、「１世代前の紙幣」ボタンＢ３３、及び、「その他の旧紙幣」ボタンＢ３４が設けられている。
【００５７】
「リジェクト紙幣」は、前述の通り、紙幣処理装置１００においてリジェクトされた紙幣である。リジェクト紙幣は、本来は紙幣処理装置１００においても処理可能であるはずの紙幣であることから、リジェクト紙幣に含まれる券種は、現在発行されているＥ一万円券、Ｅ五千円券、及び、Ｅ千円券、並びに、Ｄ二千円券である。尚、券種名に含まれるアルファベッドは、発行された時期を示す符号である。
【００５８】
「傷んだ紙幣」は、粘着物が付着していたり、シミがついていたり、破れや欠損があったりする紙幣であり、紙幣処理装置１００が処理をしない紙幣である。傷んだ紙幣の券種は、特定の券種に限定されず、全ての券種が含まれる。
【００５９】
「１世代前の紙幣」は、現在発行されているＥ券の１世代前の紙幣であり、具体的には、Ｄ一万円券、Ｄ五千円券、及び、Ｄ千円券である。
【００６０】
「その他の旧紙幣」は、Ｄ券よりも以前に発行された紙幣であり、券種としては、Ｅ券及びＤ券以外の全ての券種を含む。
【００６１】
画面Ｄ３における「リジェクト紙幣」ボタンＢ３１、「傷んだ紙幣」ボタンＢ３２、「１世代前の紙幣」ボタンＢ３３、及び「その他の旧紙幣」ボタンＢ３４はそれぞれ、該当する紙幣の見た目を表す画像を含んでいる。つまり、「リジェクト紙幣」ボタンＢ３１は、Ｅ一万円券、Ｅ五千円券、及び、Ｅ千円券、並びに、Ｄ二千円券の画像を含んで構成されている。「傷んだ紙幣」ボタンＢ３２は、様々な券種であってかつ、粘着物が付着していたり、破れていたりする紙幣の画像を含んで構成されている。「１世代前の紙幣」ボタンＢ３３は、Ｄ一万円券、Ｄ五千円券、及び、Ｄ千円券の画像を含んで構成されている。「その他の旧紙幣」ボタンＢ３４は、Ｅ券及びＤ券以外の紙幣の画像を含んで構成されている。
【００６２】
操作者は、手元の紙幣（つまり、これから有価媒体処理装置３００に投入しようとする紙幣）と、画面Ｄ３の各ボタンＢ３１〜Ｂ３４を構成する画像とを見比べて、手元の紙幣に対応する紙幣の画像を、容易に選択することができる。しかも、画像そのものが、ボタンＢ３１〜Ｂ３４を構成しているため、操作者は、画像に触れることによってボタンを押下することができ、誤操作を防止することができる。
【００６３】
紙幣の特性を指定するボタンにはまた、当該紙幣を有価媒体処理装置３００の投入部３１０に投入する方法に関する情報が表示されている。具体的には、「傷んだ紙幣」ボタンＢ３２、及び、「その他の旧紙幣」ボタンＢ３４には、「キャリアシートが必要です」と記載されている。キャリアシートは、図示は省略するが、紙幣を挟む２枚の透明又は半透明のシートによって構成された搬送補助シートである。「傷んだ紙幣」は、搬送中に正常に搬送できない場合があるため、キャリアシートに挟んで投入部３１０に投入する必要がある。また、「その他の旧紙幣」は、Ｅ券やＤ券とはサイズが異なる場合があるため、キャリアシートに挟んで投入部３１０に投入する必要がある。
【００６４】
画面Ｄ３において、操作者がいずれかのボタンＢ３１〜Ｂ３４を選択すれば、端末制御部５０２は、記憶部５０３の有価媒体投入データを参照することによって、指定された有価媒体の投入方法を確認する。そして、タッチパネル５０１には、選択した紙幣の投入方法を案内する画面が表示される。
【００６５】
図８は、紙幣の投入方法を案内する画面Ｄ４の一例である。この画面Ｄ４は、「傷んだ紙幣」を選択したときの投入方法を案内する画面である。「傷んだ紙幣」は、キャリアシートを用いて、投入部３１０に投入しなければならないため、画面Ｄ４の右側には、「キャリアシート使用」の注意書きと、紙幣のセット方法を示すイラストとが表示されている。ここでは、有価媒体処理装置３００の投入部３１０の画像が表示されており、キャリアシートに挟んだ紙幣を投入部３１０に投入することが促される。操作者は、画面Ｄ４を見ながら、指定された投入方法に従って、紙幣を有価媒体処理装置３００の投入部３１０に投入する。
【００６６】
これに対し、図９は、紙幣の投入方法を案内する画面Ｄ５の別の例である。この画面Ｄ５は、「１世代前の紙幣」を選択したときの投入方法を案内する画面である。「１世代前の紙幣」は、キャリアシートを用いずに投入部３１０に投入するため、画面Ｄ５の右側には、画面Ｄ４とは異なり、「キャリアシート使用」の注意書きは表示されない。画面Ｄ５には、「挿入方向に注意」の注意書きが表示される。また、画面Ｄ５には、紙幣の向きを表したセット方法が表示されている。操作者は、画面Ｄ５を見ながら、指定された投入方法に従って、紙幣を有価媒体処理装置３００の投入部３１０に投入する。
【００６７】
図４のフローに戻り、投入部３１０に紙幣が投入され、画面Ｄ４又は画面Ｄ５において、操作者が「計数開始」のボタンをタッチすると、ステップＳ５の判定がＹＥＳになり、ステップＳ６に進む。
【００６８】
ステップＳ６では、入金処理が行われる。具体的に有価媒体処理装置３００は、投入部３１０に投入された紙幣の取り込みを開始する。取り込んだ紙幣は、撮像部３１６によって表裏両面の画像が撮像される。その後、紙幣は、一時保留部３２０に収納される。
【００６９】
ここで、有価媒体処理装置３００は、投入部３１０に投入された紙幣の投入方法（例えば、キャリアシートの有無、等）を確認すると共に、その投入方法が、画面Ｄ３において操作者が指定した紙幣の特性に対応しないときには、取り込んだ紙幣を、払出部３６０に払い出すと共に、操作者に警告を行うようにしてもよい。例えば、「傷んだ紙幣」が指定されたにもかかわらず、キャリアシートに挟まれていない紙幣が投入され、キャリアシートが無いことが判明した場合には、紙幣の取り込みを停止して、画像や音声によって警告を行う。こうすることで、取り込んだ紙幣が搬送部３１４の搬送途中で詰まってしまう、といった不具合を未然に回避することができる。有価媒体処理装置３００は、投入部３１０から紙幣を取り込んだときに、当該紙幣の投入方法を確認するようにしてもよい。
【００７０】
撮像部３１６が画像データを取得すると、ステップＳ７において、取得した画像データをタッチパネル５０１に表示する。具体的には、図１０に例示する画面Ｄ６が表示される（図１０参照）。この画面Ｄ６は、有価媒体処理装置３００に取り込んだ紙幣の券種等を、操作者が手入力するための画面である。操作者は、画面Ｄ６の画像を参照しながら、左側に設けられた選択肢から当該紙幣の金種（つまり、万、５千、２千、千、５百、その他）のいずれかを選択すると共に、発行時期（つまり、Ｅ券、Ｄ券、Ｃ券）のいずれかを選択する（図４のフローのステップＳ８）。このとき、有価媒体処理装置３００は、取得した画像に基づいて金種および発行時期を自動判定し、デフォルト値として表示してもよい。尚、取り込んだ紙幣が損券であれば、画面Ｄ６において操作者は、紙幣の価値の入力も行う。
【００７１】
続くステップＳ９では、操作者による承認操作が行われたか否かを判定する。具体的には、画面Ｄ６の左下の「確定」ボタンがタッチされたか否かを判定する。承認操作が行われたときにはステップＳ９からステップＳ１０に進み、一時保留部３２０に収納していた紙幣を一時保留部３２０から繰り出して、損券収納部３４０又は損券収納部３４２に収納する。フローは、ステップＳ１０からステップＳ１５に進む。
【００７２】
一方、承認操作が行われないときにはステップＳ９からステップＳ１１に進み、紙幣の返却操作が行われたか否かを判定する。具体的には、画面Ｄ６の左上の「返却」ボタンがタッチされたか否かを判定する。返却操作が行われたときにはステップＳ１１からステップＳ１２に進み、一時保留部３２０に収納していた紙幣を一時保留部３２０から繰り出して、払出部３６０に払い出す。フローはステップＳ１２からステップＳ１５に進む。尚、払出された紙幣は操作者によって取り出され、詳細確認や再投入等の処理が行われる。
【００７３】
返却操作が行われないときにはステップＳ１１からステップＳ１３に進み、入金データの修正が行われたか否かを判定する。修正が行われないときには、そのままステップＳ９に戻り、承認操作の実行を待つ。また、修正が行われたときには、ステップＳ１４において入金データを修正した上で、ステップＳ９に戻り、承認操作の実行を待つ。
【００７４】
そして、ステップＳ１５では、有価媒体処理装置３００における入金処理を継続するか否かを判定し、継続する場合（例えば投入部３１０に、別の有価媒体が投入されているとき）には、ステップＳ５に戻る。尚、処理を継続する場合であっても、有価媒体の種類を変更する場合は、ステップＳ４に戻るものとする。一方、入金処理を継続しないときには、フローは終了する。
【００７５】
ここで、操作者が、図７の画面Ｄ３において、「損／旧貨・記念貨」を選択したときには、図１１に示す画面Ｄ７のように、硬貨の特性を指定するための操作ボタンが表示される。具体的に、図１１の構成例では、損貨の分類に、「リジェクト硬貨」ボタンＢ７１、及び、「傷んだ硬貨」ボタンＢ７２が設けられ、旧貨・記念貨の分類に、「旧硬貨」ボタンＢ７３、及び、「記念貨」ボタンＢ７４が設けられている。
【００７６】
「リジェクト硬貨」は、硬貨処理装置２００においてリジェクトされた硬貨である。リジェクト硬貨は、本来は硬貨処理装置２００においても処理可能であるはずの硬貨であることから、硬貨の種類としては、現在発行されている硬貨である。
【００７７】
「傷んだ硬貨」は、傷が付いていたり、汚れがついていたり、変形していたりする硬貨であり、硬貨処理装置２００が処理をしない硬貨である。硬貨の種類は、特定の種類に限定されず、全ての種類の硬貨を含む。
【００７８】
「旧硬貨」は、現在発行されている硬貨よりも以前に発行された紙幣であり、「記念貨」は、様々な記念貨を含む。
【００７９】
画面Ｄ７において「リジェクト硬貨」ボタンＢ７１、「傷んだ硬貨」ボタンＢ７２、「旧硬貨」ボタンＢ７３、及び「記念貨」ボタンＢ７４はそれぞれ、該当する硬貨の見た目を表す画像を含んでいる。これにより、操作者は、手元の硬貨と、ボタンＢ７１〜Ｂ７４を構成する画像とを見比べて、手元の硬貨に対応する硬貨の画像を、容易に選択することが可能になる。しかも、画像そのものが、ボタンＢ７１〜Ｂ７４を構成しているため、操作者は、画像に触れることによってボタンを押下することができ、誤操作を防止することができる。
【００８０】
「損／旧貨・記念貨」に該当する硬貨は、詳細な図示は省略するが、損貨処理装置６００に投入される。画面Ｄ７において、操作者がいずれかのボタンＢ７１〜Ｂ７４を選択すると、端末制御部５０２は、記憶部５０３の有価媒体投入データを参照することによって、指定された有価媒体の投入方法を確認する。そして、図８の画面Ｄ４や図９の画面Ｄ５に準じた、損貨処理装置６００への硬貨の投入方法を案内する画面が、タッチパネル５０１に表示される。操作者は、表示された投入方法に従って、損貨等を、適切な投入方法によって、損貨処理装置６００に投入することができる。
【００８１】
また、操作者が、図６に示す画面Ｄ２において、「他店券」を選択したときには、図１２に示す画面Ｄ８が表示される。画面Ｄ８は、証票の特性を指定するための操作ボタンＢ８１〜Ｂ８４を含んでいる。具体的に、図１２の構成例では、「手形・小切手・配当金領収書・定額小為替」ボタンＢ８１、「付箋付きの手形・小切手」ボタンＢ８２、「補箋付き手形」ボタンＢ８３、及び、「傷んだ手形・小切手・定額小為替」ボタンＢ８４が設けられている。また、各ボタンＢ８１〜Ｂ８４は、該当する手形等の見た目を表す画像によって構成されている。これにより、操作者は、これから有価媒体処理装置３００に投入しようとする手形等を、正確に選択することができる。
【００８２】
また、操作者が、画面Ｄ８においていずれかのボタンＢ８１〜Ｂ８４を選択すると、端末制御部５０２は、記憶部５０３の有価媒体投入データを参照することによって、指定された有価媒体の投入方法を確認する。そして、図８の画面Ｄ４や図９の画面Ｄ５に準じた、有価媒体処理装置３００への小切手等の投入方法を案内する画面が、タッチパネル５０１に表示される。操作者は、表示された投入方法（例えば、キャリアシートの要否、等）に従って、小切手等を、適切な投入方法によって、有価媒体処理装置３００に投入することができる。
【００８３】
このように、前記の有価媒体処理装置３００は、従来の有価媒体処理装置とは異なり、有価媒体処理装置３００に有価媒体を投入する前に、例えば画面Ｄ３、Ｄ７、Ｄ８において、有価媒体の特性を複数の選択肢の中から指定するよう構成されている。経験の浅い操作者であっても、選択を容易に行うことができる。
【００８４】
特に、タッチパネル５０１に表示されるボタンＢ３１〜Ｂ３４、Ｂ７１〜Ｂ７４、Ｂ８１〜Ｂ８４が、有価媒体の特性に対応する見た目を表した画像によって構成されるため、操作者は、これから投入しようとする有価媒体と、タッチパネル５０１に表示された画像とを見比べて、対応するボタンＢ３１〜Ｂ３４、Ｂ７１〜Ｂ７４、Ｂ８１〜Ｂ８４を容易に選択することができる。また、画像がボタンＢ３１〜Ｂ３４、Ｂ７１〜Ｂ７４、Ｂ８１〜Ｂ８４を構成するため、操作者は、ボタンＢ３１〜Ｂ３４、Ｂ７１〜Ｂ７４、Ｂ８１〜Ｂ８４を押し間違えることも防止される。
【００８５】
そして、操作者が有価媒体の特性を指定すれば、当該有価媒体の投入方法を案内する画面Ｄ４、Ｄ５が、タッチパネル５０１に表示されるため、操作者は、適切な投入方法によって、有価媒体を有価媒体処理装置３００又は損貨処理装置６００に投入することができる。
【００８６】
その結果、有価媒体処理装置３００及び損貨処理装置６００の使い勝手が向上する。
【００８７】
尚、前記の構成では、出納機１０のタッチパネル５０１に、各種の画面Ｄ１〜Ｄ８を表示して、操作者がタッチパネル５０１を操作するように構成しているが、例えばタッチパネル５０１を操作表示部とする代わりに、タブレット端末７０１やスマートフォン７０２等の操作端末に、図５〜図１２に示す各画面Ｄ１〜Ｄ８を表示し、操作者は、タブレット端末７０１やスマートフォン７０２において操作を行うように構成してもよい。
【００８８】
また、有価媒体処理システム１は、操作部と表示部とが一体化したタッチパネルでなく、互いに独立した操作部と表示部とのそれぞれを備えていてもよい。
【００８９】
さらに、前記の構成では、画面Ｄ３、Ｄ７（図７、１１）においては、紙幣の特性及び硬貨の特性を指定するのみであるが、有価媒体の特性と共に、その種類を指定するように構成してもよい。ここで、有価媒体の種類は、紙幣の券種（つまり、金種及び発行時期）や、硬貨の種類であり、有価媒体を取り込んだ後にタッチパネル５０１に表示される画面Ｄ６（図１０）において入力する情報に相当する。例えば、画面Ｄ３において「リジェクト紙幣」ボタンＢ３１は１個のボタンで構成されるが、券種毎（Ｅ一万円券、Ｅ五千円券、Ｅ千円券およびＤ二千円券）に紙幣イメージを含む複数個（この例では、４個）のボタンとして構成してもよい。
【００９０】
この場合、有価媒体処理装置３００及び損貨処理装置６００は、紙幣や硬貨を取り込んで撮像部３１６が撮像をした画像データに基づいて、紙幣の券種や、硬貨の種類を簡易的に識別し、操作者が予め指定した紙幣の券種や硬貨の種類と照合するようにしてもよい。照合の結果が一致するときには、例えば画面Ｄ６において、操作者が指定した紙幣の券種等の情報を、自動的に入力することによって、操作者の入力操作を省略するようにしてもよい。また、照合の結果が一致しないときには、その旨を操作者に通知をし、画面Ｄ６において改めて、紙幣の券種等の情報を、操作者に入力させる（情報を修正させる）ようにしてもよい。
【符号の説明】
【００９１】
１  有価媒体処理システム
１０  出納機（有価媒体処理装置）
３００  有価媒体処理装置
３１０  投入部
５０１  タッチパネル（操作表示部、操作部、表示部）
５０２  端末制御部
５０３  記憶部
６００  損貨処理装置（有価媒体処理装置）
７０１  タブレット端末（操作端末）
７０２  スマートフォン（操作端末）
【図１】
2018128944.tif 000003
【図２】
2018128944.tif 000004
【図３】
2018128944.tif 000005
【図４】
2018128944.tif 000006
【図５】
2018128944.tif 000007
【図６】
2018128944.tif 000008
【図７】
2018128944.tif 000009
【図８】
2018128944.tif 000010
【図９】
2018128944.tif 000011
【図１０】
2018128944.tif 000012
【図１１】
2018128944.tif 000013
【図１２】
2018128944.tif 000014